(57)【要約】  【課題】  電気部品を備えた前面装着体を前枠の前側に装着する作業の簡略化により組み立て工程を効率化することが可能な遊技機を提供する。  【解決手段】  前枠の前側に着脱可能に装着される前面装着体５の電気部品側からの配線コネクタ２４ａが接続される第１中継コネクタ７２ａと所定基板側からの配線コネクタ８２ａが接続される第２中継コネクタ７２ｂとを備え且つ第１中継コネクタ７２ａが前端側に前向きに配置された中継基板７２を設け、前面装着体５の後側に対応して前枠側に配線用開口部９４を設け、中継基板７２を、前枠の裏側に開閉自在に装着される裏機構板５１が閉状態のときに第１中継コネクタ７２ａが配線用開口部９４を介して前枠２の前側に臨むように裏機構板５１側の中継基板装着部に前後方向に装着したものである。【選択図】  図１２
2006230948.tif 000002
【特許請求の範囲】
【請求項１】
裏側に遊技盤（２７）を着脱自在に装着可能な前枠（２）と、該前枠（２）の裏側に装着され且つ前記遊技盤（２７）を裏側から支持する閉状態と支持しない開状態とに変化可能な裏機構板（５１）と、所定の電気部品（１８）（１９）を有し且つ前記前枠（２）の前側に着脱可能に装着された前面装着体（５）とを備え、前記前面装着体（５）側の電気部品（１８）（１９）を前記裏機構板（５１）上又は前記遊技盤（２７）上の所定基板（６４）（４４）に直接的又は間接的に接続するように配線された遊技機において、前記前面装着体（５）の電気部品（１８）（１９）側からの配線コネクタ（２４ａ）（２５ａ）が接続される第１中継コネクタ（７２ａ）（７３ａ）と前記所定基板（６４）（４４）側からの配線コネクタ（８２ａ）（８３ａ）が接続される第２中継コネクタ（７２ｂ）（７３ｂ）とを備え且つ前記第１中継コネクタ（７２ａ）（７３ａ）が前端側に前向きに配置された中継基板（７２）（７３）を設け、前記前面装着体（５）の後側に対応して前記前枠（２）側に開口部（９４）を設け、前記中継基板（７２）（７３）を、前記裏機構板（５１）が前記閉状態のときに前記第１中継コネクタ（７２ａ）（７３ａ）が前記開口部（９４）を介して前記前枠（２）の前側に臨むように前記裏機構板（５１）側の中継基板装着部（７１）に前後方向に装着したことを特徴とする遊技機。
【請求項２】
前記中継基板（７２）（７３）は前記裏機構板（５１）に設けられた装着開口部（７６）内に前端側の少なくとも一部がその装着開口部（７６）の前側に突出した状態で支持され、その装着開口部（７６）の前側に突出した部分に前記第１，第２中継コネクタ（７２ａ）（７３ａ）（７２ｂ）（７３ｂ）が配置されていることを特徴とする請求項１に記載の遊技機。
【請求項３】
前記中継基板（７２）（７３）は、前記中継基板装着部（７１）に対して前記裏機構板（５１）の前側から着脱可能に構成されていることを特徴とする請求項１又は２に記載の遊技機。
【請求項４】
前記第２中継コネクタ（７２ｂ）（７３ｂ）を前記中継基板（７２）（７３）に対して面外方向を向くように装着したことを特徴とする請求項１〜３の何れかに記載の遊技機。
【請求項５】
前記中継基板装着部（７１）は、前記中継基板（７２）（７３）を、前記第１，第２中継コネクタ（７２ａ）（７３ａ）（７２ｂ）（７３ｂ）が装着された面が上向きとなるように支持するように構成されていることを特徴とする請求項１〜４の何れかに記載の遊技機。
【発明の詳細な説明】
【技術分野】
【０００１】
本発明は、パチンコ機、アレンジボール機等の遊技機に関するものである。
【背景技術】
【０００２】
例えばパチンコ機は、外枠の前側に前枠が開閉自在に装着され、遊技盤、発射手段、各種制御基板等の主要構成部分は全てその前枠側に装着されている。また、この前枠の前側には、遊技盤の前側を覆うガラス扉、発射用の遊技球を貯留する上皿が設けられた前面開閉板等が開閉自在に装着されている。
【０００３】
ところで、例えばカード式のパチンコ機では、貸球操作ボタン、返却操作ボタン、残高表示部等を有する貸球操作パネルを本体前側に配置する必要があるが、操作性等の観点からそれらは上皿の近傍、即ち前面開閉板側に設けられる例が多い。
【０００４】
また最近では、遊技者をより能動的に遊技に参加させるべく、遊技者が遊技状態に応じて操作可能な遊技操作ボタンを設けたパチンコ機が増えているが、そのような遊技操作ボタンについても、貸球操作ボタン等と同様、前面開閉板側に設けられる場合が多い。
【０００５】
このように、前面開閉板側に貸球操作パネルや遊技操作ボタンといった電気部品が配置される場合には、前面開閉板側の電気部品を前枠裏側の制御基板等に接続するための配線が必要となるが、従来のパチンコ機では、前面開閉板の裏側に電気部品からのハーネスを長く引き出し、そのハーネスを前枠側に形成された開口部から前枠の裏側に引き回して所定の制御基板に接続したものが一般的である（例えば特許文献１参照）。
【特許文献１】特開２０００−１４９０４号公報
【発明の開示】
【発明が解決しようとする課題】
【０００６】
上記特許文献１にあるような従来のパチンコ機では、その最終組み立て工程で前枠に前面開閉板を装着する際に、前枠の前後両側から夫々作業を行う必要があった。即ち、前面開閉板の装着工程においては、まず前枠の前面側に前面開閉板を装着し、その前面開閉板の裏側に引き出されたハーネスを前枠の開口部を介して裏側に通す一連の作業を前枠の前側で行い、更に前枠の裏側に通されたハーネスのコネクタを所定の制御基板のコネクタに接続する作業を前枠の裏側で行う必要があるため、作業が繁雑で多くの時間と労力を要するという問題があった。
【０００７】
本発明は、このような従来の問題点に鑑み、電気部品を備えた前面装着体を前枠の前側に装着する作業の簡略化により組み立て工程を効率化することが可能な遊技機を提供することを目的とする。
【課題を解決するための手段】
【０００８】
本発明は、裏側に遊技盤２７を着脱自在に装着可能な前枠２と、該前枠２の裏側に装着され且つ前記遊技盤２７を裏側から支持する閉状態と支持しない開状態とに変化可能な裏機構板５１と、所定の電気部品１８，１９を有し且つ前記前枠２の前側に着脱可能に装着された前面装着体５とを備え、前記前面装着体５側の電気部品１８，１９を前記裏機構板５１上又は前記遊技盤２７上の所定基板４４，６４に直接的又は間接的に接続するように配線された遊技機において、前記前面装着体５の電気部品１８，１９側からの配線コネクタ２４ａ，２５ａが接続される第１中継コネクタ７２ａ，７３ａと前記所定基板４４，６４側からの配線コネクタ８２ａ，８３ａが接続される第２中継コネクタ７２ｂ，７３ｂとを備え且つ前記第１中継コネクタ７２ａ，７３ａが前端側に前向きに配置された中継基板７２，７３を設け、前記前面装着体５の後側に対応して前記前枠２側に開口部９４を設け、前記中継基板７２，７３を、前記裏機構板５１が前記閉状態のときに前記第１中継コネクタ７２ａ，７３ａが前記開口部９４を介して前記前枠２の前側に臨むように前記裏機構板５１側の中継基板装着部７１に前後方向に装着したものである。
【発明の効果】
【０００９】
本発明によれば、前面装着体５を前枠２に装着する際の配線作業は、前面装着体５の裏側に引き出された配線コネクタ２４ａ，２５ａを前枠２の前側から前記第１中継コネクタ７２ａ，７３ａに接続するだけでよく、従来のように前面装着体５側から引き出されたハーネスを前枠２の裏側に引き回して接続する場合と比べて配線作業を著しく簡略化することができ、組み立て工程を効率化することが可能である。
【発明を実施するための最良の形態】
【００１０】
以下、本発明の実施形態を図面に基づいて詳述する。図１〜図１２は本発明をパチンコ機として具現化した実施形態を例示している。図１〜図８において、１は外枠で、この外枠１の前側には、前枠２が、左右一端側、例えば左端側に設けられた上下一対のヒンジ３を介して開閉自在に枢着されている。４はガラス扉、５は前面開閉板（前面装着体）で、これらは前枠２の窓孔６に対応して上下に配置され、ヒンジ３と同じ側、例えば左端側に設けられたヒンジ４ａ，５ａにより前枠２に開閉自在に枢支されている。前枠２の下部には、左右方向の中央部に下皿７が装着され、この下皿７の左右に灰皿８と発射手段９（図５）を操作するための発射ハンドル１０とが夫々装着されている。
【００１１】
下皿７は、前枠２の前側に向けて略水平に配置され且つその上面側に凹入状の遊技球貯留部１１が設けられた底壁部１２と、遊技球貯留部１１の左右両側に対応して底壁部１２の上面側から上向きに立設された一対の側壁部１３とを例えば一体に備えている。
【００１２】
左右の側壁部１３は、図３に示すように、夫々その上面側が後ろ上がりの傾斜状に形成された傾斜案内面１３ａを構成しており、前面開閉板５を閉じる際には前面開閉板５側の被案内面１４がこの傾斜案内面１３ａに沿って後ろ向きに摺動することにより、前面開閉板５が上向きに押し上げられるようになっている。
【００１３】
また、底壁部１２は、その左右方向一端側が側壁部１３よりも発射ハンドル１０側に突出しており、その突出部分が、発射ハンドル１０を操作する際に手の一部を乗せるためのハンドレスト１５となっている。
【００１４】
前面開閉板５はステンレス板等の板金製であって、ガラス扉４の下側にヒンジ５ａにより開閉自在に装着されている。前面開閉板５の前側には、発射用の遊技球を貯留する上皿１６が設けられており、その周囲が上皿カバー１７で覆われている。
【００１５】
上皿カバー１７上には、例えば上皿１６の右側に対応する位置に、機外のカードユニット（図示省略）の貸球操作パネル１８が設けられている。この貸球操作パネル１８には、貸球操作ボタン１８ａ、返却操作ボタン１８ｂ、残高表示部１８ｃ等が設けられている。
【００１６】
また、上皿１６の前側に対応する位置には遊技操作ボタン１９が配置されている。この遊技操作ボタン１９は、遊技中に遊技者が操作するためのもので、所定の操作可能期間中に操作することにより、遊技の進行に何らかの影響を与えることができるようになっている。
【００１７】
前面開閉板５の裏面側には、図５に示すように、後述する払い出し手段５７から払い出された賞球を上皿１６側に案内するための払い出し案内樋２０、上皿１６内の遊技球を発射手段９側に排出するための上皿排出口２１、上皿１６内の遊技球を下皿７側に抜き取るための球抜き排出口２２、配線引き出し口２３等が設けられている。
【００１８】
配線引き出し口２３は、ヒンジ５ａの近傍に設けられており、貸球操作パネル１８側からの操作パネル側ハーネス２４と、遊技操作ボタン１９側からの遊技操作ボタン側ハーネス２５とが後向きに引き出されている。なお、それら各ハーネス２４，２５の先端側には夫々配線コネクタ２４ａ，２５ａが取り付けられている（図１０，図１１）。
【００１９】
上皿１６の下側には、下皿７側の側壁部１３の上側に対向するように上皿カバー１７から下向きに上側壁部２６が下向きに突設されており、この上側壁部２６の下面側が被案内面１４となっている。なお、この被案内面１４は例えば略水平に形成されている。
【００２０】
２７は遊技盤で、前枠２の窓孔６に対応するように、前枠２の裏側の遊技盤装着枠２８に裏側から着脱自在に装着され、窓孔６の下部側で前枠２の裏側に装着された下セット板２９により下側から支持されている。
【００２１】
遊技盤２７の前面には、図４に示すように、発射手段９により発射された遊技球を遊技領域３０の上部側に案内すると共に遊技領域３０の周囲を規定するガイドレール３１が設けられると共に、遊技領域３０内には、液晶表示手段３２等を備えたセンターケース３３、可変式入賞手段３４、大入賞手段３５、普通入賞手段３６等の各種遊技部品が配置されている。
【００２２】
遊技盤２７の裏側には、図２，図３等に示すように、液晶表示手段３２等の遊技部品を裏側から覆う裏カバー４１が装着されている。裏カバー４１の裏側には、主制御基板４２を収納する主基板ケース４３、演出制御基板４４を収納する演出基板ケース４５等が着脱自在に装着されている。また、裏カバー４１の下部には、図外の集球カバーが一体に設けられており、各入賞手段に入賞して遊技盤２７の裏側に案内された遊技球はこの集球カバーで１箇所に集められた後、所定の排出通路を経て島側に回収されるようになっている。
【００２３】
遊技盤装着枠２８及び下セット板２９は、図５，図６等に示すように例えば一体に形成されており、その裏側には、遊技盤２７を裏側から押圧して支持するように、合成樹脂製の裏機構板５１が配置されている。裏機構板５１は、ヒンジ３と同じ側、例えば左端側に設けられた上下一対のヒンジ５２により前枠２側に枢着され、遊技盤２７を裏側から支持する閉状態と支持しない開状態とに変化可能となっている。なお、裏機構板５１は、遊技盤装着枠２８の後側に設けられた締結具５３により閉状態で固定されるようになっている。
【００２４】
裏機構板５１には、図２，図７，図８等に示すように、その中央部に裏カバー４１が嵌合する開口部５４が形成され、この開口部５４の上側に遊技球タンク５５とタンクレール５６が、左右一側に払い出し手段５７が、下側に通路ユニット５８と設置部５９とが夫々設けられており、後述の払い出し制御基板６０からの払い出し要求に基づいて遊技球タンク５５内の遊技球をタンクレール５６を経て払い出し手段５７により払い出し、その遊技球を通路ユニット５８、払い出し案内樋２０を経て上皿１６側に案内するようになっている。
【００２５】
設置部５９には、払い出し制御基板６０を収納する払い出し基板ケース６１と、電源基板６２を収納する電源基板ケース６３とが裏側から着脱自在に取り付けられている。また、例えば通路ユニット５８の後側には、機外のカードユニット（図示省略）に接続するためのカードユニット接続基板６４が着脱自在に取り付けられている。
【００２６】
裏機構板５１の下端側には、図７〜図９等に示すように、ヒンジ５２の近傍に中継基板装着部７１が設けられている。この中継基板装着部７１は、前面開閉板５側の電気部品と裏機構板５１側の基板との接続を中継する中継基板７２，７３が装着される部分で、貸球中継基板７２が装着される第１装着部７４と遊技操作中継基板７３が装着される第２装着部７５とを例えば左右に備えている。
【００２７】
第１，第２装着部７４，７５は、図９〜図１１等に示すように、夫々、中継基板７２，７３が例えば略水平の状態で前後方向に挿通可能な装着開口部７６と、この装着開口部７６の左右両側に設けられ且つ中継基板７２，７３の左右両縁部を前後方向に摺動自在に保持する装着レール７７と、この装着レール７７に前側から装着された中継基板７２，７３の抜けを防止する抜け止め手段７８とで構成されている。
【００２８】
装着レール７７は、互いに向かい合う断面コの字型に形成されており、装着開口部７６の前後所定範囲にわたって設けられている。また、装着レール７７の後端側には、装着レール７７に前側から挿入された中継基板７２，７３が所定の装着位置にきたときにその中継基板７２，７３の後端側に当接して後ろ向きの移動を規制する後端側規制部７９が設けられている。
【００２９】
抜け止め手段７８は、装着開口部７６の下縁側から前向きに突設された支持板８０と、この支持板８０の前端側に上向きに突設された前端側規制部８１とで構成されている。支持板８０は、例えば略水平な板状に形成されており、その前端側が面外方向、即ち上下方向に弾性変形可能となっている。なお、抜け止め手段７８は、装着レール７７に装着された中継基板７２，７３の下面側と干渉しないように、装着レール７７よりも若干下側に設けられている。
【００３０】
前端側規制部８１は、装着レール７７に前側から挿入された中継基板７２，７３が所定の装着位置にきたとき、即ち後端側が後端側規制部７９に当接したとき、その中継基板７２，７３の前端側に略当接して前向きの移動を規制するようになっている。なお、前端側規制部８１は、支持板８０を下向きに弾性変形させることにより、中継基板７２，７３の前端側を規制する規制位置よりも下側に一時的に待避させることができる。
【００３１】
なお、図９等より明らかなように、第１，第２装着部７４，７５は、中継基板７２，７３を、装着開口部７６よりも前側への突出量が後ろ側への突出量よりも大きくなるように支持している。これにより、中継基板７２，７３はその前端側の大部分が裏機構板５１の前側に突出し、その上面側が上向きに開放された状態となる。
【００３２】
第１装着部７４に装着される貸球中継基板７２は、前面開閉板５側の貸球操作パネル１８と、裏機構板５１側のカードユニット接続基板６４との接続を中継するもので、貸球第１中継コネクタ（第１中継コネクタ）７２ａ、貸球第２中継コネクタ（第２中継コネクタ）７２ｂを共に上面側に備えている。
【００３３】
貸球第１中継コネクタ７２ａは、貸球操作パネル１８側からの操作パネル側ハーネス２４の配線コネクタ２４ａが接続されるもので、貸球中継基板７２の前端側上面に前向きに装着されている。また、貸球第２中継コネクタ７２ｂは、カードユニット接続基板６４側からの貸球中継ハーネス８２の配線コネクタ８２ａが接続されるもので、貸球中継基板７２の上面に面外方向、即ち上向きに装着されている。
【００３４】
なお、貸球中継基板７２は、第１装着部７４に装着されたとき、貸球第１中継コネクタ７２ａと貸球第２中継コネクタ７２ｂとが共に裏機構板５１の前面側よりも前側に位置するようになっている。
【００３５】
第２装着部７５に装着される遊技操作中継基板７３は、前面開閉板５側の遊技操作ボタン１９と、遊技盤２７側の演出制御基板４４との接続を中継するもので、遊技操作第１中継コネクタ（第１中継コネクタ）７３ａ、遊技操作第２中継コネクタ（第２中継コネクタ）７３ｂを共に上面側に備えている。
【００３６】
遊技操作第１中継コネクタ７３ａは、遊技操作ボタン１９側からの遊技操作ボタン側ハーネス２５の配線コネクタ２５ａが接続されるもので、遊技操作中継基板７３の前端側上面に前向きに装着されている。また、遊技操作第２中継コネクタ７３ｂは、演出制御基板４４側からの演出中継ハーネス８３の配線コネクタ８３ａが接続されるもので、遊技操作中継基板７３の上面に面外方向、即ち上向きに装着されている。
【００３７】
なお、当該遊技操作中継基板７３と演出制御基板４４とは、前枠２上の例えば遊技盤装着枠２８に設けられた枠上中継基板８４により更に中継されており、演出中継ハーネス８３は、その枠上中継基板８４に接続されている。
【００３８】
また、遊技操作中継基板７３は、第２装着部７５に装着されたとき、遊技操作第１中継コネクタ７３ａと遊技操作第２中継コネクタ７３ｂとが共に裏機構板５１の前面側よりも前側に位置するようになっている。
【００３９】
下セット板２９は例えば合成樹脂製であって、図５，図６等に示すように、遊技盤２７を下側から支持する遊技盤支持部９１がその上縁側に沿って設けられると共に、遊技盤２７の前面側に略当接する起立板部９２がその遊技盤支持部９１の前縁側から上向きに立設されている。
【００４０】
また、下セット板２９には、通路ユニット５８と払い出し案内樋２０とを接続する払い出し接続孔９３と、裏機構板５１側の中継基板装着部７１の前側に対応する配線用開口部（開口部）９４とが共に前後方向貫通状に設けられており、更に下セット板２９の左右方向略中央位置に発射手段９が装着されている。
【００４１】
発射手段９は、図５に示すように、遊技球を発射方向に案内する発射レール９５、この発射レール９５の前側に配置され且つ上皿１６側の遊技球を発射レール９５上に１個ずつ供給する球送り手段９６、揺動自在に支持された打撃槌９７、この打撃槌９７を揺動駆動する発射駆動ソレノイド９８（図６）等を備え、それら発射レール９５、球送り手段９６、打撃槌９７等が取付板９９を介して下セット板２９の前側に固定されている。
【００４２】
なお、球送り手段９６の球導入口９６ａは、前面開閉板５が下セット板２９側に閉じられたときに前面開閉板５側の上皿排出口２１と連通するようになっている。
【００４３】
遊技盤装着枠２８は、図５，図６等に示すように、下セット板２９の左右両側から上向きに配設された左右一対の縦枠部２８ａ，２８ｂと、その縦枠部２８ａ，２８ｂの上端側を左右に連結する横枠部２８ｃとで門型状に形成されており、後ろ側から装着された遊技盤２７の左右両縁部及び上縁部を保持するようになっている。
【００４４】
横枠部２８ｃには、例えばその前側に左右一対のスピーカ１００が装着されており、更に左端部近傍には枠上中継基板８４が着脱自在に装着されている。この枠上中継基板８４は、演出制御基板４４とスピーカ１００、遊技操作ボタン１９等との間の接続を中継するものである。
【００４５】
以上のような構成を有する本パチンコ機の組み立て工程においては、裏機構板５１の中継基板装着部７１に中継基板７２，７３が装着され、その中継基板７２，７３側の第２中継コネクタ７２ｂ，７３ｂに裏機構板５１上のカードユニット接続基板６４側からの配線コネクタ８２ａと遊技盤２７上の演出制御基板４４側からの配線コネクタ８３ａとが夫々接続された状態で、その裏機構板５１が前枠２の裏側に装着される（図１２（ａ））。このとき、中継基板７２，７３は、その前端側の第１中継コネクタ７２ａ，７３ａが前枠２側の配線用開口部９４を介して前枠２の前側に臨む状態となる。
【００４６】
従って、その後に前面開閉板５を前枠２の前側に装着する工程では、図１２（ａ）に示すように、前面開閉板５の裏側に引き出されたハーネス２４，２５の配線コネクタ２４ａ，２５ａを前枠２の前側から中継基板７２，７３の第１中継コネクタ７２ａ，７３ａに接続するだけで配線作業は終了する。なお、図１２（ｂ）は、配線作業後に前面開閉板５を前枠２側に閉じた状態を示している
以上説明したように、本実施形態のパチンコ機は、前面開閉板５の貸球操作パネル１８、遊技操作ボタン１９側からの配線コネクタ２４ａ，２５ａが接続される第１中継コネクタ７２ａ，７３ａと、裏機構板５１上のカードユニット接続基板６４側からの配線コネクタ８２ａ、遊技盤２７上の演出制御基板４４側からの配線コネクタ８３ａが接続される第２中継コネクタ７２ｂ，７３ｂとを備え且つ第１中継コネクタ７２ａ，７３ａが前端側に前向きに配置された中継基板７２，７３を設け、前面開閉板５の後側に対応して前枠２側に配線用開口部９４を設け、中継基板７２，７３を、裏機構板５１が閉状態のときに第１中継コネクタ７２ａ，７３ａが配線用開口部９４を介して前枠２の前側に臨むように裏機構板５１側の中継基板装着部７１に前後方向に装着しているため、前枠２の前側に前面開閉板５を装着する際には、配線処理についても前枠２の前側からの作業だけで完了できるため、例えば前面開閉板５を前枠２に装着する際に前面開閉板５側から引き出されたハーネスを前枠２の裏側に引き回して接続するような煩雑な作業が必要なく、作業の簡略化により組み立て工程を効率化することが可能である。
【００４７】
中継基板７２，７３は裏機構板５１に設けられた装着開口部７６内に前端側の少なくとも一部がその装着開口部７６の前側に突出した状態で支持され、その装着開口部７６の前側に突出した部分に第１，第２中継コネクタ７２ａ，７３ａ，７２ｂ，７３ｂが配置されているため、裏機構板５１の前面側に配線を集約できる利点がある。
【００４８】
また、中継基板７２，７３は、中継基板装着部７１に対して裏機構板５１の前側から着脱可能に構成されているため、例えば裏機構板５１の裏側に配置された各種制御基板や通路等を着脱することなく中継基板７２，７３を着脱できる等、中継基板７２，７３の着脱を容易に行うことができ、また裏機構板５１のスペースを有効に利用できる。
【００４９】
第２中継コネクタ７２ｂ，７３ｂを中継基板７２，７３に対して面外方向を向くように装着しているため、第２中継コネクタ７２ｂ，７３ｂに接続されたハーネスを裏機構板５１の前面側に沿ってスムーズに配線できると共に、裏機構板５１側に装着された中継基板７２，７３へのコネクタの着脱を容易に行うことができる利点がある。
【００５０】
中継基板装着部７１は、中継基板７２，７３を、第１，第２中継コネクタ７２ａ，７３ａ，７２ｂ，７３ｂが装着された面が上向きとなるように支持するように構成されているため、裏機構板５１の下部側に配置された中継基板７２，７３側の中継コネクタに対する配線コネクタの着脱作業をより容易に行うことができる。
【００５１】
以上、本発明の各実施形態について詳述したが、本発明はこの実施形態に限定されるものではなく、本発明の趣旨を逸脱しない範囲内で種々の変更が可能である。例えば、中継基板装着部７１は、中継基板７２，７３を略水平に支持するだけでなく、図１３に示すように略垂直方向に支持してもよいし、もちろん斜めに支持してもよい。
【００５２】
中継基板装着部７１に装着する中継基板の枚数は、前面装着体５側の電気部品の配置個数等に応じて適宜決めればよく、１枚であっても３枚以上であってもよい。
【００５３】
中継基板の前端側に設ける第１中継コネクタは前向きに設ける必要があるが、他方の第２中継コネクタは、接続先の配置位置等に応じて適宜の方向に向けて配置すればよい。また、第２中継コネクタは、必ずしも装着開口部７６の前側に突出した部分に配置する必要はなく、接続先の配置位置等に応じて、例えば図１４に示すように、装着開口部７６の後側に突出した部分に配置して、裏機構板５１の後側から配線コネクタの接続作業を行うようにしてもよい。
【００５４】
中継基板の中継基板装着部７１に対する着脱方向は任意であり、裏機構板５１の後側、下側等から着脱するように構成してもよい。また、中継基板装着部７１による中継基板の支持構造も任意である。
【００５５】
実施形態では、前面装着体として、上皿１６が設けられた前面開閉板５を用いた例を示したが、前面装着体は前枠２の前側に装着されるものであればよく、例えばガラス扉４でもよいし、実施形態におけるガラス扉４と前面開閉板５とが一体となった扉体等、各種扉体で同様に実施可能である。また、必ずしも開閉可能な扉体である必要はなく、前枠２の前側に固定的に装着されるランプパネル等でもよい。
【００５６】
なお、実施形態ではパチンコ機について例示したが、アレンジボール機、雀球遊技機等の弾球遊技機の他、スロットマシン等の各種遊技機において同様に実施できることはいうまでもない。
【図面の簡単な説明】
【００５７】
【図１】本発明の一実施形態を示すパチンコ機の全体斜視図である。
【図２】本発明の一実施形態を示すパチンコ機の背面図である。
【図３】本発明の一実施形態を示すパチンコ機の側面図である。
【図４】本発明の一実施形態を示すパチンコ機の遊技盤の正面図である。
【図５】本発明の一実施形態を示すパチンコ機のガラス扉及び前面開閉板を開いた状態での全体斜視図である。
【図６】本発明の一実施形態を示すパチンコ機の裏機構板及び遊技盤を除いた状態での背面図である。
【図７】本発明の一実施形態を示す裏機構板の正面図である。
【図８】本発明の一実施形態を示す裏機構板の側面図である。
【図９】本発明の一実施形態を示す裏機構板の要部側面断面図である。
【図１０】本発明の一実施形態を示す裏機構板の要部平面断面図である。
【図１１】本発明の一実施形態を示す裏機構板の要部斜視図である。
【図１２】本発明の一実施形態を示すパチンコ機の前面開閉板５の装着時における配線作業の説明図である。
【図１３】本発明の変更例を示す裏機構板の要部正面図である。
【図１４】本発明の変更例を示す裏機構板の要部側面断面図である。
【符号の説明】
【００５８】
２    前枠
５    前面開閉板（前面装着体）
１８    貸球操作パネル（電気部品）
１９    遊技操作パネル（電気部品）
２４ａ  配線コネクタ
２５ａ  配線コネクタ
２７    遊技盤
４４    演出制御基板（所定基板）
５１    裏機構板
６４    カードユニット接続基板（所定基板）
７１    中継基板装着部
７２    貸球中継基板（中継基板）
７２ａ  貸球第１中継コネクタ（第１中継コネクタ）
７２ｂ  貸球第２中継コネクタ（第２中継コネクタ）
７３    遊技操作中継基板（中継基板）
７３ａ  遊技操作第１中継コネクタ（第１中継コネクタ）
７３ｂ  遊技操作第２中継コネクタ（第２中継コネクタ）
７６    装着開口部
８２ａ  配線コネクタ
８２ａ  配線コネクタ
９４    配線用開口部（開口部）
【図１】
2006230948.tif 000003
【図２】
2006230948.tif 000004
【図３】
2006230948.tif 000005
【図４】
2006230948.tif 000006
【図５】
2006230948.tif 000007
【図６】
2006230948.tif 000008
【図７】
2006230948.tif 000009
【図８】
2006230948.tif 000010
【図９】
2006230948.tif 000011
【図１０】
2006230948.tif 000012
【図１１】
2006230948.tif 000013
【図１２】
2006230948.tif 000014
【図１３】
2006230948.tif 000015
【図１４】
2006230948.tif 000016